(57)【要約】      （修正有）【課題】単純に物を挟持するだけでなく、包装の密封及び開封等の付加機能を備えることで、付加価値を高め、競争力を向上させるスナックトングの改良構成を提供する。【解決手段】その一端の側面に収容凹部１１を設け、もう一端に二つに分岐する挟持部１２を設け、且つ二挟持部１２には元に戻る弾性力を有するトング本体１と、前記収容凹部内に固定するように設置し、前記収容凹部から外部に突出するエッジを有するセラミックナイフ２０と、中間部分に前記トング本体の前記収容凹部に結合して固定する結合部３１を横設し、その二端に、二挟持部１２に向かって延伸する第一クリップ端３２及び前記収容凹部の上方を遮蔽する第二クリップ端３３をそれぞれ形成することで、前記第一クリップ端は前記トング本体との間で挟持弾性を有する挟持間隔３２２を形成し、前記第二クリップ端は力を受けて前記セラミックナイフの前記エッジに係合し、短手方向の切断を行う帯状の弾性部材３とを包括するものである。【選択図】図３
0003190465.tif 000002
【実用新案登録請求の範囲】
【請求項１】
その一端の側面に収容凹部を設け、もう一端に二つに分岐する挟持部を設け、且つ二挟持部には元に戻る弾性力を有するトング本体と、
前記収容凹部内に固定するように設置し、前記収容凹部から外部に突出するエッジを有するセラミックナイフと、
中間部分に前記トング本体の前記収容凹部に結合して固定する結合部を横設し、その二端に、二挟持部に向かって延伸する第一クリップ端及び前記収容凹部の上方を遮蔽する第二クリップ端をそれぞれ形成することで、前記第一クリップ端は前記トング本体との間で挟持弾性を有する挟持間隔を形成し、前記第二クリップ端は力を受けて前記セラミックナイフの前記エッジに係合し、短手方向の切断を行う帯状の弾性部材と、
を包括することを特徴とするスナックトングの改良構成。
【請求項２】
前記セラミックナイフは、ナイフ挟持具によって前記収容凹部内に固定することを特徴とする請求項１に記載のスナックトングの改良構成。
【請求項３】
前記ナイフ挟持具は、相対的に前記セラミックナイフを挟持する二半挟持体によって構成され、二半挟持体の互いに相対する面に前記セラミックナイフを収容する凹部をそれぞれ有することを特徴とする請求項２に記載のスナックトングの改良構成。
【請求項４】
二半挟持体の前記凹部は、互いに対応する少なくとも凸柱及び少なくとも穿孔をそれぞれ設け、前記セラミックナイフに該凸柱を貫通するためのポジショニング孔を設けることを特徴とする請求項３に記載のスナックトングの改良構成。
【請求項５】
二半挟持体の一部表面は、互いに相対する弧面を設け、二弧面は前記収容凹部内側表面との間に前記結合部に嵌合する結合孔を形成することを特徴とする請求項３に記載のスナックトングの改良構成。
【請求項６】
前記ナイフ挟持具外側表面及び前記結合部外側表面は、少なくとも粘着溝をそれぞれ凹部に設けることを特徴とする請求項２に記載のスナックトングの改良構成。
【請求項７】
前記第一クリップ端は、前記トング本体方向に向かう一方に突起する付勢凸部を設けることを特徴とする請求項１に記載のスナックトングの改良構成。
【請求項８】
前記トング本体は、二挟持部の互いに相対する面において複数の凸起をそれぞれ設けることを特徴とする請求項１に記載のスナックトングの改良構成。。
【考案の詳細な説明】
【技術分野】
【０００１】
本考案は、スナックトングの改良構成、特にさまざまな付加機能を有することで、製品の競争力を向上することができる挟持構成に関するものである。
【背景技術】
【０００２】
今の現代人は、休息の際、特にテレビや映画鑑賞の際によくスナック菓子を食しており、便宜を図るため、通常は手でスナック菓子を直接口にするが、人間の手は常に外部の物品に接触しているため、細菌や汚れた物によって汚し易く、そのような手でスナック菓子を手にしては、上述の細菌や汚れた物を同時に口にしてしまい、衛生面で好ましくなく、改善する必要がある。
【０００３】
また、従来の小さなものを挟持するために用いられるトングは、その構成の殆どが同側に傾斜し、二つに分岐して延伸する挟持部を有し、且つ必要に応じて挟持する弾性を有することで、使い勝手を良くしている。それと同時に、二挟持部の互いに相対する面には必要に応じて複数の凸起を設置することで、挟持を強固なものとしている。しかし、これ以外に、上記の従来のトング構成はその他の付加機能を有しておらず、殆どが経済的利益がない低単価製品でしかないため、もし従来のトングの基本構成に一部簡易な構成を加えることで、さまざまな付加機能を発生させ、製品の全体的な競争力を高めるだけでなく、消費者がより製品を求めるような経済的利益を増加させることが当該業者が努力しているところである。
【０００４】
上述のような問題を有する従来のトング構成を鑑み、考案者はこの問題に対して研究、改良を加え、本考案を創作するものである。
【考案の概要】
【考案が解決しようとする課題】
【０００５】
本考案の主な目的は、弾性部材とセラミックナイフとがトング本体に結合するスナックトングの改良構成を提供するものであって、単純に物を挟持するだけでなく、包装の密封及び開封等の付加機能を備えることで、製品全体の付加価値を高め、製品の競争力を向上させるものである。
【０００６】
本考案のもう一つの目的は、利用がより簡単且つ低コストの組合せ構成でさまざまな付加機能が発生する好ましい経済的利益を有するスナックトングの改良構成を提供するものである。
【課題を解決するための手段】
【０００７】
本考案は、上述の目的及び効果を達成するため、その一端の側面に収容凹部を設け、もう一端に二つに分岐する挟持部を設け、且つ二挟持部には元に戻る弾性力を有するトング本体と、前記収容凹部内に固定するように設置し、前記収容凹部から外部に突出するエッジを有するセラミックナイフと、中間部分に前記トング本体の前記収容凹部に結合して固定する結合部を横設し、その二端に、二挟持部に向かって延伸する第一クリップ端及び前記収容凹部の上方を遮蔽する第二クリップ端をそれぞれ形成することで、前記第一クリップ端は前記トング本体との間で挟持弾性を有する挟持間隔を形成し、前記第二クリップ端は力を受けて前記セラミックナイフのエッジに係合し、短手方向の切断を行う帯状の弾性部材とを包括する技術手段を用いれている。
【０００８】
上述の構成に基づくと、前記セラミックナイフはナイフ挟持具によって前記収容凹部内に固定している。
【０００９】
上述の構成に基づくと、前記ナイフ挟持具は相対的に前記セラミックナイフを挟持する二半挟持体によって構成され、二半挟持体の互いに相対する面に前記セラミックナイフを収容する凹部をそれぞれ有している。
【００１０】
上述の構成に基づくと、二半挟持体の前記凹部は互いに対応する少なくとも凸柱及び少なくとも穿孔をそれぞれ設け、前記セラミックナイフに該凸柱を貫通するためのポジショニング孔を設けている。
【００１１】
上述の構成に基づくと、二半挟持体の一部表面は互いに相対する弧面を設け、二弧面は前記収容凹部内側表面との間に前記結合部に嵌合する結合孔を形成している。
【００１２】
上述の構成に基づくと、前記ナイフ挟持具外側表面及び前記結合部外側表面は少なくとも粘着溝をそれぞれ前記凹部に設けている。
【００１３】
上述の構成に基づくと、前記第一クリップ端は前記トング本体方向に向かう一方に突起する付勢凸部を設けている。
【００１４】
上述の構成に基づくと、前記トング本体は二挟持部の互いに相対する面において複数の凸起をそれぞれ設けている。
【００１５】
本考案の詳細な構造、応用原理、作用及び効果に関しては、図面を基に掲示する説明を参照することで明瞭することができる。
【図面の簡単な説明】
【００１６】
【図１】本考案の構成分解図である。
【図２】本考案の立体部分組合せ模式図である。
【図３】本考案の全体組合せ側面図である。
【図４】本考案の組合せ外観及び包装袋の切断を表した模式図である。
【図５】本考案に係る動作の模式図である。
【考案を実施するための形態】
【００１７】
図１乃至図３を参照すると、本考案の構成は主に、トング本体１、セラミックナイフ２０及び弾性部材３等を包括しており、そのうち、前記トング本体１の一端の側面には収容凹部１１を設け、もう一端には二つに分岐し元に戻る弾性力を有する挟持部１２及び挟持部１３を設けており、前記挟持部１２及び前記挟持部１３は互いに相対する面に複数の凸起１２１及び複数の凸起１３１をそれぞれ設けている。
【００１８】
前記セラミックナイフ２０は、ナイフ挟持具２によって前記収容凹部１１内に固定されており、前記ナイフ挟持具２は相対する二半挟持体２１及び２２によって組合わされて構成しており、前記半挟持体２１及び前記半挟持体２２は互いに相対する面に前記セラミックナイフ２０の半身を収容するための凹部２１１及び２２１を設けており、各凹部２１１及び２２１内に互いに対応する複数の穿孔２１２及び複数の穿孔２１３と、複数の凸柱２２２及び複数の凸柱２２３とを設けており、前記半挟持体２１及び前記半挟持体２２はさらに一部表面に互いに相対する弧面２１４及び２２４をそれぞれ設けており、前記セラミックナイフ２０に前記凸柱２２２を貫通するポジショニング孔２０２を設けることで、前記半挟持体２１及び前記半挟持体２２は前記穿孔２１２及び前記穿孔２１３と、前記凸柱２２２及び前記凸柱２２３とによって相対的に結合し、前記セラミックナイフ２０を安定的に挟持しており、また前記半挟持体２１及び前記半挟持体２２の外側表面は必要に応じて少なくとも粘着溝２２５を設けることで、これ等外側表面に塗布された粘着剤を収容することができ、これによって前記ナイフ挟持具２は前記収容凹部１１との間で強固な結合を形成し、前記セラミックナイフ２０は前記収容凹部１１、即ち前記ナイフ挟持具２の外部に露出するエッジ２０１を保持することができ、且つ前記ナイフ挟持具２は前記収容凹部１１に設けられ、その前記半挟持体２１及び前記半挟持体２２の前記弧面２１４及び前記弧面２２４は前記収容凹部１１の一部内側に結合孔１４を形成している。
【００１９】
前記弾性部材３は帯状の構成体であって、その中間部分には前記結合孔１４に嵌合する結合部３１が横設しており、前記結合部３１外周面には必要に応じて前記結合部３１の外側表面に塗布された粘着剤の結合の強度を増加させるための複数の粘着溝３１１を設け、前記弾性部材３の二端は二挟持部１２及び１３に向かって延伸する第一クリップ端３２及び前記収容凹部１１の上方を遮蔽する第二クリップ端３３を形成し、前記第一クリップ端３２は前記トング本体１方向に向かう一方に突起する付勢凸部３２１を設けることで、前記第一クリップ端３２は前記トング本体１との間で挟持弾性を有する挟持間隔３２２を形成しており、前記弾性部材３は前記結合部３１を支点として前記第一クリップ端３２及び前記第二クリップ端３３で揺動する弾性を形成することで、前記第一クリップ端３２は付勢凸部３２１に合わせて前記挟持間隔３２２に対し圧接する状態を形成し、すでに開封した包装袋の開口を前記挟持間隔３２２に挿入して緊密に挟持することで、一時的に有効な密封機能を達成している。
【００２０】
図４から分かるとおり、密封された包装袋４の密封部分を前記第二クリップ端３３と前記収容凹部１１の間に挿入した場合、前記第二クリップ端３３は、付勢方向Ａの力を受けて前記セラミックナイフ２０の前記エッジ２０１に係合した後、前記包装袋４に対して付勢方向Ｂの力を加え、短手方向に移動することができ、これによって前記包装袋４は前記第二クリップ端３３の短手方向の移動において、前記包装袋４の密封部分は前記エッジ２０１の切断を受け、切断開口４１を形成し、有効な短手方向に開封する切断機能を達成している。
【００２１】
図５から分かるとおり、前記トング本体１の前記挟持部１２が付勢方向Ｃの力を受けて挟持した、或いは前記挟持部１３が付勢方向Ｃとは反対の力を受けて挟持した場合、二挟持部１２及び１３は互いに係合して被挟持物５を挟持し、前記凸起１２１及び前記凸起１３１を利用して前記被挟持物５を大きい摩擦力で保持することで、強固な挟持状態を形成し、トングに必要な挟持機能を達成している。
【００２２】
以上のことから、本考案に係るスナックトングの改良構成は、さまざまな付加機能の追加及び製品の競争力の向上を確かに有しており、本考案は産業上の利用性、新規性及び進歩性を確かに備えていることが明白である。
【００２３】
１          トング本体
１１        収容凹部
１２        挟持部
１３        挟持部
１２１      凸起
１３１      凸起
１４        結合孔
２          ナイフ挟持具
２０        セラミックナイフ
２０１      エッジ
２０２      ポジショニング孔
２１        半挟持体
２２        半挟持体
２１１      凹部
２２１      凹部
２１２      穿孔
２１３      穿孔
２１４      弧面
２２４      弧面
２２２      凸柱
２２３      凸柱
２２５      粘着溝
３          弾性部材
３１        結合部
３１１      粘着溝
３２        第一クリップ端
３２１      付勢凸部
３２２      挟持間隔
３３        第二クリップ端
４          包装袋
４１        切断開口
５          被挟持物
【図１】
0003190465.tif 000003
【図２】
0003190465.tif 000004
【図３】
0003190465.tif 000005
【図４】
0003190465.tif 000006
【図５】
0003190465.tif 000007
【手続補正書】
【提出日】平成26年2月28日(2014.2.28)
【手続補正２】
【補正対象書類名】実用新案登録請求の範囲
【補正対象項目名】全文
【補正方法】変更
【補正の内容】
【実用新案登録請求の範囲】
【請求項１】
その一端の側面に収容凹部を設け、もう一端に二つに分岐する挟持部を設け、且つ二挟持部には元に戻る弾性力を有するトング本体と、
前記収容凹部内に固定するように設置し、前記収容凹部から外部に突出するエッジを有するセラミックナイフと、
中間部分に前記トング本体の前記収容凹部に結合して固定する結合部を横設し、その二端に、二挟持部に向かって延伸する第一クリップ端及び前記収容凹部の上方を遮蔽する第二クリップ端をそれぞれ形成することで、前記第一クリップ端は前記トング本体との間で挟持弾性を有する挟持間隔を形成し、前記第二クリップ端は力を受けて前記セラミックナイフの前記エッジに係合し、短手方向の切断を行う帯状の弾性部材と、
を包括することを特徴とするスナックトング。
【請求項２】
前記セラミックナイフは、ナイフ挟持具によって前記収容凹部内に固定することを特徴とする請求項１に記載のスナックトング。
【請求項３】
前記ナイフ挟持具は、相対的に前記セラミックナイフを挟持する二半挟持体によって構成され、二半挟持体の互いに相対する面に前記セラミックナイフを収容する凹部をそれぞれ有することを特徴とする請求項２に記載のスナックトング。
【請求項４】
二半挟持体の前記凹部は、互いに対応する少なくとも凸柱及び少なくとも穿孔をそれぞれ設け、前記セラミックナイフに該凸柱を貫通するためのポジショニング孔を設けることを特徴とする請求項３に記載のスナックトング。
【請求項５】
二半挟持体の一部表面は、互いに相対する弧面を設け、二弧面は前記収容凹部内側表面との間に前記結合部に嵌合する結合孔を形成することを特徴とする請求項３に記載のスナックトング。
【請求項６】
前記ナイフ挟持具外側表面及び前記結合部外側表面は、少なくとも粘着溝をそれぞれ凹部に設けることを特徴とする請求項２に記載のスナックトング。
【請求項７】
前記第一クリップ端は、前記トング本体方向に向かう一方に突起する付勢凸部を設けることを特徴とする請求項１に記載のスナックトング。
【請求項８】
前記トング本体は、二挟持部の互いに相対する面において複数の凸起をそれぞれ設けることを特徴とする請求項１に記載のスナックトング。